(57)【要約】【課題】筒本体とオブジェクトケースとの連設機構を簡単にし、その連設機構を構成する結合部の精密加工を必要とせず、組み立てを容易にし、製品を安価にする。【解決手段】オブジェクトケース３に、筒本体２の前端部を収容する円筒状受部２２を突設し、その円筒状受部２２にスプリング配置溝２６を設け、そのスプリング配置溝内に複数個のスリット状貫通穴を分散配設し、その円筒状受部２２に嵌まる外円筒５の前端部にスプリング突部受溝３１を設け、その円筒状受部２２のスプリング配置溝２６に嵌まる円形状のスプリング２８に、複数個の突部を分散配設し、そのスプリング２８の各突部をスリット状貫通穴に夫々挿通し、その各スプリング突部の先端部を更に外円筒５の前端部に設けたスプリング突部受溝３１に夫々嵌める。【選択図】        図１
2004233502.tif 000002
【特許請求の範囲】
【請求項１】
反射鏡面を内側に向けて設けた鏡筒を外円筒内に収容して筒本体を構成し、その筒本体の前側に複数のオブジェクトを収容し、両端を閉鎖した円筒状ケースを回動自在に連設してなるオブジェクトケース回動型万華鏡であって、上記オブジェクトケースの後端に、筒本体の前端部を収容する円筒状受部を突設し、その円筒状受部の外周面に軸線を中心とする円形状のスプリング配置溝を１本又は複数本設け、そのスプリング配置溝内に複数個のスリット状貫通穴を分散配置して夫々設け、その円筒状受部に嵌まる外円筒の前端部の外周面に軸線を中心とする円形状のスプリング突部受溝を１本又は複数本設け、その円筒状受部のスプリング配置溝に嵌まる円形状のスプリングに、複数個の内方に屈曲して突出する突部を分散配置して夫々設け、そのスプリングの各突部をスリット状貫通穴に夫々挿通し、その各スプリング突部の先端部を更に外円筒の前端部に設けたスプリング突部受溝に夫々嵌めて、その外円筒の前端部にオブジェクトケースに設けた円筒状受部を結合することを特徴とするオブジェクトケース回動型万華鏡。
【請求項２】
反射鏡面を内側に向けて設けた鏡筒を外円筒内に収容して筒本体を構成し、その筒本体の前側に複数のオブジェクトを収容し、両端を閉鎖した円筒状ケースを回動自在に連設してなるオブジェクトケース回動型万華鏡であって、上記外円筒の前端に、オブジェクトケースの後端部を収容する円筒状受部を突設し、その円筒状受部の外周面に軸線を中心とする円形状のスプリング配置溝を１本又は複数本設け、そのスプリング配置溝内に複数個のスリット状貫通穴を分散配置して夫々設け、その円筒状受部に嵌まるオブジェクトケースの後端部の外周面に軸線を中心とする円形状のスプリング突部受溝を１本又は複数本設け、その円筒状受部のスプリング配置溝に嵌まる円形状のスプリングに、複数個の内方に屈曲して突出する突部を分散配置して夫々設け、そのスプリングの各突部をスリット状貫通穴に夫々挿通し、その各スプリング突部の先端部を更にオブジェクトケースの後端部に設けたスプリング突部受溝に夫々嵌めて、その外円筒に設けた円筒状受部にオブジェクトケースの後端部を結合することを特徴とするオブジェクトケース回動型万華鏡。
【発明の詳細な説明】
【０００１】
【発明の属する技術分野】
本発明は、複数のオブジェクトを収容するオブジェクトケースが回動可能な万華鏡に関する。
【０００２】
【従来の技術】
従来、反射鏡面を内側に向けて設けた角形または丸形の鏡筒を有する種々の万華鏡が開発され、使用されている。特に、万華鏡として最も一般的なものは３枚の長方形鏡を組み合せて三角形の鏡筒を作り、その鏡筒を円筒状の外円筒内に収容した筒本体内に、多数の彩色したビーズ、紙片等の種々のオブジェクトを収容し或いは筒本体の前側にオブジェクトを収容し、両端を閉鎖した円筒状の透明なケースを連設したものである。このような万華鏡を用いると、筒本体を手で回しながら、或いはオブジェクトケースを筒本体に対して回動自在にしておき、そのオブジェクトケースを手で回しながら筒本体の後面壁の中央に設けた穴から覗いて、様々に変化する美しい色模様を見て楽しむことができる。しかも、多数のオブジェクトを収納した透明ケース内にオイル等の液体を充填しておくと、オブジェクトの動きが緩慢になり、その緩やかな変化を楽しみ、穏やかな安らぎを感じることができる。
【０００３】
このような万華鏡に対し、本出願人は平成１４年１１月１日付の特許出願により筒本体にオブジェクトケースを連設し、その筒本体にオブジェクトを照明する赤色発光ダイオード、緑色発光ダイオード、青色発光ダイオードと、それ等の点灯を制御する彩色調節用コントローラとを備えた彩色照明付き万華鏡を提示した。そして、この彩色照明付き万華鏡によると、特にオブジェクトを動かさなくても、複数のオブジェクトが作り出す模様に輝きと色彩を与え、更にその模様の輝きと色彩を次々と変えることができる。しかも、筒本体やオブジェクトケースを回動させてオブジェクトを動かすと、二度と会えない一瞬だけの模様を次々と作ることができて、発光ダイオードの点灯光により周囲が暗くてもその影響を受け難くすることができる。
【０００４】
【特許文献１】
特願２００２―３１９３５９号
【０００５】
【発明が解決しようとする課題】
しかしながら、このような万華鏡の筒本体にオブジェクトケースを回動自在に連設する場合、一般的には筒本体とオブジェクトケースとの結合部を金属部品同士の組み合わせにし、その両金属部品に夫々精密加工を施すことにより、回動自在の機構を構成している。それ故、筒本体とオブジェクトケースとの連設機構が複雑となり、その連設機構を構成する結合部の精密加工、組み立て等に要する負担が大きくなって、製品が高価になる等の問題がある。
【０００６】
本発明はこのような従来の問題点に着目してなされたものであり、筒本体とオブジェクトケースとの連設機構が簡単で、その連設機構を構成する結合部の精密加工を必要とせず、組み立てが容易で、製品が安価なオブジェクトケース回動型万華鏡を提供することを目的とする。
【０００７】
【課題を解決するための手段】
上記目的を達成するために、本発明によるオブジェクトケース回動型万華鏡は、反射鏡面を内側に向けて設けた鏡筒を外円筒内に収容して筒本体を構成し、その筒本体の前側に複数のオブジェクトを収容し、両端を閉鎖した円筒状ケースを回動自在に連設する。
【０００８】
そして、上記オブジェクトケースの後端に、筒本体の前端部を収容する円筒状受部を突設し、その円筒状受部の外周面に軸線を中心とする円形状のスプリング配置溝を１本又は複数本設け、そのスプリング配置溝内に複数個のスリット状貫通穴を分散配置して夫々設け、その円筒状受部に嵌まる外円筒の前端部の外周面に軸線を中心とする円形状のスプリング突部受溝を１本又は複数本設ける。
【０００９】
又、その円筒状受部のスプリング配置溝に嵌まる円形状のスプリングに、複数個の内方に屈曲して突出する突部を分散配置して夫々設け、そのスプリングの各突部をスリット状貫通穴に夫々挿通し、その各スプリング突部の先端部を更に外円筒の前端部に設けたスプリング突部受溝に夫々嵌めて、その外円筒の前端部にオブジェクトケースに設けた円筒状受部を結合する。
【００１０】
又、本発明によるオブジェクトケース回動型万華鏡は、反射鏡面を内側に向けて設けた鏡筒を外円筒内に収容して筒本体を構成し、その筒本体の前側に複数のオブジェクトを収容し、両端を閉鎖した円筒状ケースを回動自在に連設する。
【００１１】
そして、上記外円筒の前端に、オブジェクトケースの後端部を収容する円筒状受部を突設し、その円筒状受部の外周面に軸線を中心とする円形状のスプリング配置溝を１本又は複数本設け、そのスプリング配置溝内に複数個のスリット状貫通穴を分散配置して夫々設け、その円筒状受部に嵌まるオブジェクトケースの後端部の外周面に軸線を中心とする円形状のスプリング突部受溝を１本又は複数本設ける。
【００１２】
又、その円筒状受部のスプリング配置溝に嵌まる円形状のスプリングに、複数個の内方に屈曲して突出する突部を分散配置して夫々設け、そのスプリングの各突部をスリット状貫通穴に夫々挿通し、その各スプリング突部の先端部を更にオブジェクトケースの後端部に設けたスプリング突部受溝に夫々嵌めて、その外円筒に設けた円筒状受部にオブジェクトケースの後端部を結合する
【００１３】
【発明の実施の形態】
以下、添付の図１〜１１を参照して、本発明の実施の形態を説明する。
図１は本発明を適用した彩色照明付きオブジェクトケース回動型万華鏡の縦断面図（図１０のＸ−Ｘ断面図）、図２はその万華鏡を構成する各部品の組立前配置を示す斜視図である。この彩色照明付きオブジェクトケース回動型万華鏡１は、その基本構造を本体部に相当する筒本体２とその筒本体２の前側に連設したオブジェクトケース３とから構成する。そして、筒本体２を、反射鏡面を内側に向けて設けた鏡筒４とその鏡筒４を内部に収容する外円筒５との二重筒にする。その際、鏡筒４として、例えば３枚の長方形の鏡６（６ａ、６ｂ、６ｃ）を正三角形の筒状に組み合わせて一体に結合して用いる。又、外円筒５として、アクリル樹脂等からなる透明なプラスチック製円筒を用いる。
【００１４】
これ等の鏡筒４と外円筒５との間の空間内で、その鏡筒４を構成する各鏡６の前端中央の直近外側の位置に、鏡６ａ、６ｃについては一般的な照明用の白色発光ダイオード７（７ａ、７ｂ）を備え付け、鏡６ｂについては赤色発光ダイオード、緑色発光ダイオード、青色発光ダイオードをまとめた彩色照明用のユニット８を備え付ける。その際、外円筒５の前端部内に鏡筒支持リング９を嵌めて、鏡筒４の前端部と照明用の各白色発光ダイオード７、彩色照明用ユニット８とを支持する。
【００１５】
又、この彩色照明用ユニット８と一体に或いはその直近後方に別体にして、図３に示すように各発光ダイオードの点灯を制御する彩色調節用コントローラ１０を備え付ける。そして、彩色照明用ユニット８と彩色調節用コントローラ１０に電源となる３Ｖの電池１１を２個とその電源スイッチ１２とを接続し、それ等を鏡筒４と外円筒５との間の空間内に配置する。そして、電池１１と電源スイッチ１２は各鏡６ｃ、６ａの後端中央の外側位置に夫々備え付ける。なお、電池１１と電源スイッチ１２は並列接続により照明用の白色発光ダイオード７ａ、７ｂと共通に用いる。
【００１６】
このようにして、外円筒５の内部に鏡筒４、照明用白色発光ダイオード７、彩色照明用ユニット８等を収納するが、そのままでは内部の光が外円筒５の外周面から外部に漏れるので、絵や模様等を外面に施した紙や筒体等をその内部に入れ内周面に沿わせる等して適度に不透明化する。その後、外円筒５の後側開口に接眼キャップ１３を固着して閉鎖する。その際、接眼キャップ１３として、中央に透明部材で閉鎖した覗き穴１４を設け、電池ケース１５の蓋部１６と電源スイッチ１２の操作部１７とを外部に夫々臨ませて備えた不透明なプラスチック製円板を用いる。すると、接眼キャップ１３の内面に支持部１８を設けることにより鏡筒４の後端部も支持できる。なお、電池ケース１５の内部にコンタクト３２を設置する。
【００１７】
このような筒本体２の前側開口はオブジェクトケース３を連設する際に、そのケース３の後面壁１９により閉鎖できる。そこで、オブジェクトケース３として例えば従来から使用されているもの、即ち種々の形状、色付きのビーズ等を多数オブジェクト（図示なし）として用い、それ等のオブジェクトをアクリル樹脂等からなる透明なプラスチック製カップ２０に収容して、グリセリン等のオイルを充填し、そこに不透明なキャップ２１を固着し密閉したものを用いる。すると、オブジェクトケース３を多数のオブジェクトを収容し、その後端をカップ２０の底壁に相当する透明な後面壁１９で閉じ、その前端を不透明なキャップ２１で形成した前面壁で閉じたカップ２０の透明な円筒部からなる円筒状ケースにすることができる。なお、オブジェクトケース３の前面壁２１を不透明にすると、前方からオブジェクトケース３に入る光を遮断し、内部の光を反射できる。
【００１８】
そして、このようなオブジェクトケース３の後端に、筒本体２の前端部を収容するＡＢＳ樹脂等からなるプラスチック製の円筒状受部２２を突設する。この円筒状受部２２は図４に示すような円筒体にし、その前側部２３を指を掛けてオブジェクトケースを回動操作する操作箇所にし、後側部２４をスプリング設置箇所にする。そして、前側の指掛部２３にはその外周面に沿って多数例えば１２個の滑り止め突起２５を等間隔にして分散配設する。又、後側部２４にはその外周面に軸線を中心とする円形状のスプリング配置溝２６を１本又は複数本設ける。その際、例えば２本のスプリング配置溝２６ａ、２６ｂを前後に一定距離離して配設する。又、図５に示すように各スプリング配置溝２６の内部に更に複数個例えば４個のスリット状貫通穴２７（２７ａ、…２７ｄ）を等間隔にして分散配設する。なお、その円筒状受部２２はその前端付近をオブジェクトケース３の後端付近の外側に嵌め、接着結合して一体化する。
【００１９】
そして、このような円筒状受部２２の各スプリング配置溝２６に嵌めるスプリング２８（２８ａ、２８ｂ）には、いずれにも例えばスプリング鋼からなる線状体を円形状に曲げたものを用いる。しかも、図６に示すように円形状に曲げた線状体の両端を接近させ、そこに複数個例えば４個の内方に屈曲して突出する突部２９（２９ａ、…２９ｄ）を等間隔にして分散配設する。又、円筒状受部２２に内接する外円筒５の前端部３０の外周面に、軸線を中心とする円形状のスプリング突部受溝３１を１本又は複数本設ける。その際、図７に示すように例えば２本のスプリング突部受溝３１ａ、３１ｂを前後に一定距離離して配設する。
【００２０】
そこで、円筒状受部２２に設けた各スプリング配置溝２６に嵌まるスプリング２８毎に、そのスプリング２８の各突部２９をスリット状貫通穴２７に夫々挿通し、その各スプリング突部２９の先端部を更に外円筒５の前端部３０に設けたスプリング突部受溝３１に夫々嵌める。すると、外円筒５の前端部３０にオブジェクトケース３に設けた円筒状受部２２の後側部付近を互いの軸線を一致させて結合でき、図８に示す彩色照明付きオブジェクトケース回動型万華鏡１が完成する。なお、図９はその万華鏡１の正面図、図１０はその背面図、及び図１１は図８のＹ−Ｙ断面図である。
【００２１】
このようにして、筒体２の前側にオブジェクトケース３を結合して連設すると、筒本体２を構成する外円筒５とオブジェクトケース３に設ける円筒状受部２２とにプラスチック製成形品を夫々用い、その円筒状受部２２の後側部２４に４個のスリット状貫通穴２７を有するスプリング配置溝２６を２本設け、その外円筒５の前端部３０にスプリング突部受溝３１を２本設けて、その後側部２４と前端部３０の対応するスプリング配置溝２６、スリット状貫通穴２７、スプリング突部受溝３１に４個の突部２９を有する円形状のスプリング２８を夫々嵌めて２本用いることにより、連設機構が簡単となり、結合強度を大きくすることができる。そして、円筒状受部２２の前側の指掛部２３に指を掛けて操作すると、筒本体２に対し、オブジェクトケース３を自在に回動できる。しかも、スプリング２８を１本用いるより２本用いる等して複数本にする方がその回動を円滑にできる。又、外円筒５と円筒状受部２２とにいずれも成形品を用いると、筒本体２とオブジェクトケース３の結合部に相当する外円筒５の前端部３０と円筒状受部２２の後側部２４との精密加工をする必要がなく、その前端部３０と後側部２４とをスプリング２８を用いて結合することにより組立も容易になって、万華鏡を安価にすることができる。
【００２２】
この彩色照明付きオブジェクトケース回動型万華鏡１は使用時に、電源スイッチ１２の外部に臨む操作部１７をオン位置に移動し、スイッチ１２を入れる。すると、彩色照明用ユニット８とその彩色調節用コントローラ１０に電池１１が接続され、赤色、緑色、青色等の各発光ダイオードが点灯可能になる。そこで、彩色調節用コントローラ１０に先に彩色照明用ユニット８に備えた各発光ダイオードの点灯を制御するプログラミング処理を施しておく。すると、彩色照明用ユニット８からオブジェクトへ照射する照明色を例えば０．５秒間隔で赤、緑、青、黄、ピンク、紫、白色と７色に次々と変化させ、２秒停止後次の照明方法に移る等、スイッチ１２をオフにするまで種々の照明方法で照射できる。
【００２３】
このため、オブジェクトが発光しなくても、オブジェクトを動かさなくても、多数のオブジェクトが作り出す模様に輝きと色彩を与え、更にその模様の輝きと色彩を次々と変えることができる。そして、オブジェクトケース３を適宜回動させる等してオブジェクトを動かすと、二度と会えない一瞬だけの美しい模様を次々と作ることができる。
【００２４】
しかも、オブジェクトケース３の前面壁２１を不透明にしておくと、彩色照明用ユニット８を構成する各発光ダイオードの点灯光と、オブジェクトケース３の透明な周面壁から内部に入る光を前面壁２１で反射させて有効利用でき、多数のオブジェクトが作り出す模様の輝きと明るさを増加できる。それ故、このような万華鏡１は周囲が多少暗くて内部に入る光が少なくても、彩色照明用ユニット８の点灯光と反射光とにより使用することができる。又、周囲が暗く内部に入る光がなくても、オブジェクトを照射する白色発光ダイオードを照明用に備えているため、十分使用できる。
【００２５】
上記の実施の形態ではオブジェクトケース３の後端に、筒本体２の前端部を収容する円筒状受部２２を突設し、筒本体２に対しオブジェクトケース３を回動自在にする場合について説明したが、筒本体を構成する外円筒の前端にオブジェクトケースの後端部を収容する円筒状受部を突設し、筒本体に対しオブジェクトケースを回動自在にすることによっても、前者の場合と同様の効果を得ることができる。
【００２６】
その際には、その円筒状受部の外周面に軸線を中心とする円形状のスプリング配置溝を１本又は複数本設け、そのスプリング配置溝内に複数個のスリット状貫通穴を分散配置して夫々設け、その円筒状受部に内接するオブジェクトケースの後端部の外周面に軸線を中心とする円形状のスプリング突部受溝を１本又は複数本設ける。
【００２７】
そして、その円筒状受部のスプリング配置溝に嵌まる円形状のスプリングに、複数個の内方に屈曲して突出する突部を分散配置して夫々設け、そのスプリングの各突部をスリット状貫通穴に夫々挿通し、その各スプリング突部の先端部を更にオブジェクトケースの後端部に設けたスプリング突部受溝に夫々嵌めて、その外円筒に設けた円筒状受部にオブジェクトケースの後端部を結合する。なお、オブジェクトケースを回動操作するための指掛部は円筒状受部と分離してオブジェクトケースの前面壁付近等に設ける。
【００２８】
【発明の効果】
以上説明した本発明によれば、請求項１記載の発明では筒本体を構成する外円筒とオブジェクトケースに設ける円筒状受部とにプラスチック製成形品を夫々用い、その円筒状受部に複数個のスリット状貫通穴を有するスプリング配置溝を１本又は複数本設け、その外円筒の前端部にスプリング突部受溝を１本又は複数本設けて、その円筒状受部と外円筒の前端部の対応するスプリング配置溝、スリット状貫通穴、スプリング突部受溝に複数個の突部を有する円形状のスプリングを嵌めることにより、連設機構が簡単となり、結合強度を大きくすることができる。
【００２９】
そして、円筒状受部に指を掛ける等して操作すると、筒本体に対しオブジェクトケースを自在に回動でき、その回動をスプリング１本より複数本用いることにより円滑にできる。又、外円筒と円筒状受部とにいずれも成形品を用いると、筒本体とオブジェクトケースの結合部に相当する外円筒の前端部と円筒状受部とを精密加工する必要がなく、スプリングを用いて結合することにより組立も容易になって、万華鏡を安価にすることができる。
【００３０】
又、請求項２記載の発明では筒本体の外円筒に設ける円筒状受部とオブジェクトケースとにプラスチック成形品を夫々用い、その円筒状受部に複数個のスリット状貫通穴を有するスプリング配置溝を１本又は複数本設け、そのオブジェクトケースの後端部にスプリング突部受溝を１本又は複数本設けて、その円筒状受部とオブジェクトケースの後端部の対応するスプリング配置溝、スリット状貫通穴、スプリング突部受溝に複数個の突部を有する円形状のスプリングを嵌めることにより、請求項１記載の発明と同様の効果を得ることができる。
【図面の簡単な説明】
【図１】本発明を適用した彩色照明付きオブジェクトケース回動型万華鏡の縦断面図（図１０のＸ−Ｘ断面図）である。
【図２】同万華鏡を構成する各部品の組立前配置を示す斜視図である。
【図３】同万華鏡の電気回路図である。
【図４】同万華鏡のオブジェクトケースに設ける円筒状受部の左側面図である。
【図５】同円筒状受部の横断面図（図４のＹ−Ｙ断面図）である。
【図６】同万華鏡の筒本体とオブジェクトケースとの結合部に用いるスプリングの正面図である。
【図７】同筒本体を構成する外円筒の左側面図である。
【図８】同万華鏡の左側面図である。
【図９】同万華鏡の正面図である。
【図１０】同万華鏡の背面図である。
【図１１】同万華鏡の横断面図（図８のＺ−Ｚ断面図）である。
【符号の説明】
１…彩色照明付きオブジェクトケース回動型万華鏡  ２…筒本体  ３…オブジェクトケース  ４…鏡筒  ５…外円筒  ６…鏡  ７…白色発光ダイオード  ８…彩色照明用ユニット  ９…鏡筒支持リング  １０…彩色調節用コントローラ  １１…電池  １２…電源スイッチ  １３…接眼キャップ  １４…覗き穴  １９…後面壁（カップの底壁）  ２０…カップ  ２１…前面壁（キャップ）  ２２…円筒状受部  ２３…前側部（指掛部）  ２４…後側部  ２６…スプリング配置溝  ２７…スリット状貫通穴  ２８…スプリング  ２９…スプリング突部  ３０…前端部  ３１…スプリング突部受溝
【図１】
2004233502.tif 000003
【図２】
2004233502.tif 000004
【図３】
2004233502.tif 000005
【図４】
2004233502.tif 000006
【図５】
2004233502.tif 000007
【図６】
2004233502.tif 000008
【図７】
2004233502.tif 000009
【図８】
2004233502.tif 000010
【図９】
2004233502.tif 000011
【図１０】
2004233502.tif 000012
【図１１】
2004233502.tif 000013